(57)【特許請求の範囲】
【請求項１】
水平方向に間隔をあけて並ぶ第一柱及び第二柱を有する建築物において、前記第一柱と前記第二柱とに亘って設けられる耐震壁であって、
前記第一柱のうち前記第二柱に対向する面に取り付けられる第一受け部材と、
前記第二柱のうち前記第一柱に対向する面に取り付けられる第二受け部材と、
前記第一受け部材と前記第二受け部材とに亘って水平方向に延びる状態で設けられ、前記第一受け部材及び前記第二受け部材に壁厚方向の一方側から取り付けられる第一横板部材と、
前記第一受け部材と前記第二受け部材とに亘って水平方向に延びる状態で設けられ、前記第一受け部材及び前記第二受け部材に壁厚方向の他方側から取り付けられる第二横板部材と、
前記第一横板部材と前記第二横板部材との間において、前記第一受け部材と前記第二受け部材とに亘って前記第二受け部材側下がりに傾斜する状態で設けられる第一斜め板部材と、
前記第一横板部材と前記第二横板部材との間において、前記第一受け部材と前記第二受け部材とに亘って前記第一受け部材側下がりに傾斜する状態で設けられる第二斜め板部材と、が備えられている耐震壁。
【請求項２】
前記第一斜め板部材及び前記第二斜め板部材は、前記第一横板部材と前記第二横板部材とで壁厚方向の両側から挟み込み支持されている請求項１に記載の耐震壁。
【請求項３】
前記第一受け部材は、前記第一柱の上端部と前記第一柱の下端部とに亘って前記第一柱に沿って上下方向に延びる状態で設けられ、
前記第二受け部材は、前記第二柱の上端部と前記第二柱の下端部とに亘って前記第二柱に沿って上下方向に延びる状態で設けられ、
前記第一受け部材の上端部と前記第二受け部材の上端部とに亘って水平方向に延びる状態で設けられる上縁部材と、
前記第一受け部材の下端部と前記第二受け部材の下端部とに亘って水平方向に延びる状態で設けられる下縁部材と、が備えられ、
前記第一受け部材と前記第二受け部材と前記上縁部材と前記下縁部材とで枠部材が構成されている請求項１又は２に記載の耐震壁。
【発明の詳細な説明】
【技術分野】
【０００１】
本発明は、耐震壁に関する。
【背景技術】
【０００２】
従来、耐震壁として、例えば、特許文献１に記載の耐震壁（文献では「建築用耐震壁面材」）が知られている。特許文献１には、貫構造を備えた建築用耐震壁面材であって、複数の貫板〔４〕を間に挟みながら上下に連続して小幅無垢板を実矧ぎ連結して成る四角形の面材〔Ａ〕と、斜めに連続して小幅無垢板を実矧ぎ連結して成る四角形の面材〔Ｂ〕、〔Ｃ〕と、左右一対の縦枠〔１〕と上下一対の横枠〔２〕とから成る壁枠とを有し、左右一対の縦枠〔１〕それぞれに内向きあう貫穴〔３〕を設けて貫板〔４〕の両端を挿入して固定し、さらには、該面材〔Ａ〕の両面に、該面材〔Ｂ〕、〔Ｃ〕を取り付けて三層構造壁とし、且つ、三層それぞれの該面材〔Ａ〕、〔Ｂ〕、〔Ｃ〕を構成する小幅無垢板が互いに斜交して重なり合う構造であって、さらには、上下一対の横枠〔２〕を取り付け、これらを一体に形成した建築用耐震壁面材が開示されている。
【先行技術文献】
【特許文献】
【０００３】
【特許文献１】特開２０１８−２０４４１５号公報
【発明の概要】
【発明が解決しようとする課題】
【０００４】
特許文献１に記載の耐震壁では、面材〔Ａ〕、〔Ｂ〕、〔Ｃ〕を、縦枠〔１〕の溝部に嵌め込む構造であるため、現場での施工に手間がかかる。
【０００５】
上記状況に鑑み、施工性に優れた耐震壁が要望されている。
【課題を解決するための手段】
【０００６】
本発明の特徴は、水平方向に間隔をあけて並ぶ第一柱及び第二柱を有する建築物において、前記第一柱と前記第二柱とに亘って設けられる耐震壁であって、前記第一柱のうち前記第二柱に対向する面に取り付けられる第一受け部材と、前記第二柱のうち前記第一柱に対向する面に取り付けられる第二受け部材と、前記第一受け部材と前記第二受け部材とに亘って水平方向に延びる状態で設けられ、前記第一受け部材及び前記第二受け部材に壁厚方向の一方側から取り付けられる第一横板部材と、前記第一受け部材と前記第二受け部材とに亘って水平方向に延びる状態で設けられ、前記第一受け部材及び前記第二受け部材に壁厚方向の他方側から取り付けられる第二横板部材と、前記第一横板部材と前記第二横板部材との間において、前記第一受け部材と前記第二受け部材とに亘って前記第二受け部材側下がりに傾斜する状態で設けられる第一斜め板部材と、前記第一横板部材と前記第二横板部材との間において、前記第一受け部材と前記第二受け部材とに亘って前記第一受け部材側下がりに傾斜する状態で設けられる第二斜め板部材と、が備えられていることにある。
【０００７】
本特徴構成によれば、第一横板部材が第一受け部材及び第二受け部材に壁厚方向の一方側から取り付けられ、かつ、第二横板部材が第一受け部材及び第二受け部材に壁厚方向の他方側から取り付けられている。そして、第一斜め板部材及び第二斜め板部材が第一横板部材と第二横板部材との間に配置されている。したがって、第一受け部材及び第二受け部材の夫々に、第一横板部材、第二横板部材、第一斜め板部材及び第二斜め板部材を嵌め込むための溝部（嵌め込み用の溝部）を形成することを必要とせず、第一横板部材、第二横板部材、第一斜め板部材及び第二斜め板部材を、嵌め込み用の溝部に嵌め込む作業が発生しない。これにより、施工性に優れた耐震壁を実現することができる。
【０００８】
ここで、第一受け部材及び第二受け部材に、嵌め込み用の溝部を形成する構成の場合、嵌め込み用の溝部の存在によって、第一受け部材及び第二受け部材の各厚さ、ひいては、耐震壁の壁厚が厚くなってしまう。この点、本特徴構成によれば、第一受け部材及び第二受け部材に、嵌め込み用の溝部を形成する必要がないため、第一受け部材及び第二受け部材の各厚さ、ひいては、耐震壁の壁厚を薄くすることができる。これにより、住宅等の木造建築物において、真壁仕様の壁構造に適した耐震壁を実現することができる。
【０００９】
さらに、本発明において、前記第一斜め板部材及び前記第二斜め板部材は、前記第一横板部材と前記第二横板部材とで壁厚方向の両側から挟み込み支持されていると好適である。
【００１０】
本特徴構成によれば、第一斜め板部材及び第二斜め板部材を、第一受け部材及び第二受け部材に釘等で固定しなくても、第一横板部材及び第二横板部材によってしっかりと支持することができる。また、第一斜め板部材及び第二斜め板部材を、第一受け部材及び第二受け部材に釘等で固定する作業が発生しないため、耐震壁の施工性をより向上させることができる。
【００１１】
さらに、本発明において、前記第一受け部材は、前記第一柱の上端部と前記第一柱の下端部とに亘って前記第一柱に沿って上下方向に延びる状態で設けられ、前記第二受け部材は、前記第二柱の上端部と前記第二柱の下端部とに亘って前記第二柱に沿って上下方向に延びる状態で設けられ、前記第一受け部材の上端部と前記第二受け部材の上端部とに亘って水平方向に延びる状態で設けられる上縁部材と、前記第一受け部材の下端部と前記第二受け部材の下端部とに亘って水平方向に延びる状態で設けられる下縁部材と、が備えられ、前記第一受け部材と前記第二受け部材と前記上縁部材と前記下縁部材とで枠部材が構成されていると好適である。
【００１２】
本特徴構成によれば、第一受け部材、第二受け部材、上縁部材及び下縁部材を枠部材として一度に建て込むことにより、耐震壁の施工性をより向上させることができる。
【図面の簡単な説明】
【００１３】
【図１】耐震壁を示す分解斜視図である。
【図２】耐震壁を示す一部切り欠き正面図である。
【図３】図２におけるＩＩＩ−ＩＩＩ断面図である。
【図４】図２におけるＩＶ−ＩＶ断面図である。
【図５】別実施形態に係る耐震壁を示す平面断面図である。
【発明を実施するための形態】
【００１４】
本発明を実施するための形態について、図面に基づき説明する。なお、以下の説明では、矢印Ｌの方向を「左側」、矢印Ｒの方向を「右側」、矢印Ｆの方向を「手前側」、矢印Ｂの方向を「奥側」とする。
【００１５】
図１から図４に示すように、耐震壁１は、左右水平方向に間隔をあけて並ぶ第一柱２及び第二柱３を有する建築物において、第一柱２と第二柱３とに亘って設けられている。本実施形態では、建築物として、住宅等の木造建築物を想定している。耐震壁１には、枠部材４と、複数の第一横板部材５と、複数の第二横板部材６と、複数の第一斜め板部材７と、複数の第二斜め板部材８と、が備えられている。耐震壁１は、複数の第一横板部材５によって構成される層（第一層）と、複数の第一斜め板部材７によって構成される層（第二層）と、複数の第二斜め板部材８によって構成される層（第三層）と、複数の第二横板部材６によって構成される層（第四層）とによる四層構造である。第一斜め板部材７及び第二斜め板部材８は、第一横板部材５と第二横板部材６とで壁厚方向の両側（手前側及び奥側）から挟み込み支持されている。第一横板部材５、第二横板部材６、第一斜め板部材７及び第二斜め板部材８は、何れも木質の板材によって構成されている。
【００１６】
枠部材４には、第一受け部材９と、第二受け部材１０と、上縁部材１１と、下縁部材１２と、が備えられている。第一受け部材９と第二受け部材１０と上縁部材１１と下縁部材１２とで枠部材４が構成されている。第一受け部材９、第二受け部材１０、上縁部材１１及び下縁部材１２は、何れも木質の角材によって構成されている。
【００１７】
第一受け部材９は、第一柱２の上端部と第一柱２の下端部とに亘って、第一柱２のうち第二柱３に対向する面（右面）に沿って上下方向に延びる状態で設けられている。第一受け部材９は、第一柱２に釘Ｐ１によって固定されている。第一受け部材９の右面には、第一斜め板部材７及び第二斜め板部材８を嵌め込むための溝部が形成されていない。つまり、第一受け部材９の右面は、その全体が平坦な面によって構成されている。なお、第一受け部材９は、ストッパーとして必ず必要である。
【００１８】
第二受け部材１０は、第二柱３の上端部と第二柱３の下端部とに亘って、第二柱３のうち第一柱２に対向する面（左面）に沿って上下方向に延びる状態で設けられている。第二受け部材１０は、第二柱３に釘Ｐ１によって固定されている。第二受け部材１０の左面には、第一斜め板部材７及び第二斜め板部材８を嵌め込むための溝部が形成されていない。つまり、第二受け部材１０の左面は、その全体が平坦な面によって構成されている。なお、第二受け部材１０は、ストッパーとして必ず必要である。
【００１９】
上縁部材１１は、第一受け部材９の上端部と第二受け部材１０の上端部とに亘って左右水平方向に延びる状態で設けられている。下縁部材１２は、第一受け部材９の下端部と第二受け部材１０の下端部とに亘って左右水平方向に延びる状態で設けられている。
【００２０】
第一横板部材５は、第一受け部材９と第二受け部材１０とに亘って左右水平方向に延びる状態で設けられ、第一受け部材９及び第二受け部材１０に壁厚方向の一方側（奥側）から取り付けられている。複数の第一横板部材５は、枠部材４の枠外において、第一柱２及び第二柱３の各下端部に対応する高さ位置から第一柱２及び第二柱３の各上端部に対応する高さ位置まで、上下方向に積み重なった状態で設けられている。
【００２１】
第一横板部材５は、第一受け部材９及び第二受け部材１０に釘Ｐ１又は釘Ｐ２によって固定されている。具体的には、上下に隣り合う第一横板部材５において、一方の第一横板部材５は、第一受け部材９及び第二受け部材１０に釘Ｐ１によって固定され、かつ、他方の第一横板部材５は、第一受け部材９及び第二受け部材１０に釘Ｐ２によって固定されている。上下に隣り合う第一横板部材５同士は、突き付けられている状態である。
【００２２】
第二横板部材６は、第一受け部材９と第二受け部材１０とに亘って左右水平方向に延びる状態で設けられ、第一受け部材９及び第二受け部材１０に壁厚方向の他方側（手前側）から取り付けられている。複数の第二横板部材６は、枠部材４の枠外において、第一柱２及び第二柱３の各下端部に対応する高さ位置から第一柱２及び第二柱３の各上端部に対応する高さ位置まで、上下方向に積み重なった状態で設けられている。
【００２３】
第二横板部材６は、第一受け部材９及び第二受け部材１０に釘Ｐ１又は釘Ｐ２によって固定されている。具体的には、上下に隣り合う第二横板部材６において、一方の第二横板部材６は、第一受け部材９及び第二受け部材１０に釘Ｐ１によって固定され、かつ、他方の第二横板部材６は、第一受け部材９及び第二受け部材１０に釘Ｐ２によって固定されている。上下に隣り合う第二横板部材６同士は、突き付けられている状態である。
【００２４】
なお、図２では、全ての釘Ｐ１及び釘Ｐ２のうち一部の釘Ｐ１及び釘Ｐ２のみしか記載していない（後述する釘Ｐ３については、記載を省略している）。記載を省略している釘Ｐ１及び釘Ｐ２については、釘Ｐ１及び釘Ｐ２が打ち込まれる位置を図示している。
【００２５】
第一横板部材５及び第二横板部材６の各壁面には、適宜、壁材を施工することができる。例えば、当該壁面に、壁紙が施されてもよいし、あるいは、塗り土が施されてもよい。
【００２６】
第一斜め板部材７は、第一横板部材５と第二横板部材６との間において、第一受け部材９と第二受け部材１０とに亘って第二受け部材１０側下がり（右下がり）に傾斜する状態で設けられている。複数の第一斜め板部材７は、枠部材４の枠内において、第一柱２及び第二柱３の各下端部に対応する高さ位置から第一柱２及び第二柱３の各上端部に対応する高さ位置まで、上下方向に積み重なった状態で設けられている。
【００２７】
第一斜め板部材７は、枠部材４に釘等で固定されていない。具体的には、第一斜め板部材７は、第一受け部材９の右面及び第二受け部材１０の左面に突き付けられた状態であり、第一受け部材９及び第二受け部材１０に釘等で固定されておらず、かつ、上縁部材１１の下面及び下縁部材１２の上面に突き付けられた状態であり、上縁部材１１及び下縁部材１２に釘等で固定されていない。上下に隣り合う第一斜め板部材７同士は、本実継ぎによって接合されている。
【００２８】
第二斜め板部材８は、第一横板部材５と第二横板部材６との間において、第一受け部材９と第二受け部材１０とに亘って第一受け部材９側下がり（左下がり）に傾斜する状態で設けられている。複数の第二斜め板部材８は、枠部材４の枠内において、第一柱２及び第二柱３の各下端部に対応する高さ位置から第一柱２及び第二柱３の各上端部に対応する高さ位置まで、上下方向に積み重なった状態で設けられている。
【００２９】
第二斜め板部材８は、枠部材４に釘等で固定されていない。具体的には、第二斜め板部材８は、第一受け部材９の右面及び第二受け部材１０の左面に突き付けられた状態であり、第一受け部材９及び第二受け部材１０に釘等で固定されておらず、かつ、上縁部材１１の下面及び下縁部材１２の上面に突き付けられた状態であり、上縁部材１１及び下縁部材１２に釘等で固定されていない。上下に隣り合う第二斜め板部材８同士は、本実継ぎによって接合されている。
【００３０】
第一横板部材５と第一斜め板部材７と第二斜め板部材８と第二横板部材６とが重なり合った状態で釘Ｐ３によって固定されている。
【００３１】
次に、本発明に係る別実施形態を説明する。
【００３２】
（１）上記実施形態では、釘Ｐ１は、壁面に対して斜め方向に打ち込まれている。しかし、図５に示すように、釘Ｐ１は、壁面に沿う方向に打ち込まれていてもよい。この場合、第一横板部材５及び第二横板部材６は、第一受け部材９及び第二受け部材１０に釘Ｐ２によって固定されている（釘Ｐ１によって固定されていない）。
【００３３】
（２）上記実施形態に係る耐震壁１は、四層構造である。しかし、耐震壁１は、四層構造に限定されるものではない。例えば、耐震壁１は、第一層から第四層に加えて、第一斜め板部材７によって構成される層（第五層）と第二斜め板部材８によって構成される層（第六層）とを有する六層構造であってもよい。
【００３４】
（３）上記実施形態では、第一受け部材９と第二受け部材１０と上縁部材１１と下縁部材１２とで枠部材４が構成されている。しかし、上縁部材１１及び下縁部材１２が設けられていなくてもよい。
【００３５】
（４）上記実施形態では、上下に隣り合う第一斜め板部材７同士は、本実継ぎによって接合されている。同様に、上下に隣り合う第二斜め板部材８同士は、本実継ぎによって接合されている。しかし、上下に隣り合う第一斜め板部材７同士及び上下に隣り合う第二斜め板部材８同士を接合する構造は、本実継ぎに限定されるものではない。例えば、これらの接合構造は、相欠き継ぎであってもよい。
【００３６】
（５）上記実施形態では、本発明に係る「耐震壁」を住宅等の木造建築物に適用した例について説明した。しかし、本発明に係る「耐震壁」を適用する建築物は、住宅等の木造建築物に限定されるものではない。例えば、本発明に係る「耐震壁」を住宅以外の木造建築物に適用することもできる。
【００３７】
（６）なお、本発明は、上記実施形態及び上記別実施形態に限定されるものではなく、その他種々の変更が可能である。また、矛盾が生じない限り、上記実施形態及び上記別実施形態に係る構成を組み合わせることも可能である。
【産業上の利用可能性】
【００３８】
本発明は、住宅等の木造建築物の耐震壁に利用可能である。
【符号の説明】
【００３９】
１  耐震壁
２  第一柱
３  第二柱
４  枠部材
５  第一横板部材
６  第二横板部材
７  第一斜め板部材
８  第二斜め板部材
９  第一受け部材
１０  第二受け部材
１１  上縁部材
１２  下縁部材
【要約】
【課題】施工性に優れた耐震壁が要望されている。
【解決手段】耐震壁１に、第一受け部材９と第二受け部材１０とに亘って水平方向に延びる状態で設けられ、第一受け部材９及び第二受け部材１０に壁厚方向の一方側から取り付けられる第一横板部材５と、第一受け部材９と第二受け部材１０とに亘って水平方向に延びる状態で設けられ、第一受け部材９及び第二受け部材１０に壁厚方向の他方側から取り付けられる第二横板部材６と、第一横板部材５と第二横板部材６との間において、第一受け部材９と第二受け部材１０とに亘って第二受け部材１０側下がりに傾斜する状態で設けられる第一斜め板部材７と、第一横板部材５と第二横板部材６との間において、第一受け部材９と第二受け部材１０とに亘って第一受け部材９側下がりに傾斜する状態で設けられる第二斜め板部材８と、が備えられている。
【選択図】図３【図１】
0006644367.tif 000002
【図２】
0006644367.tif 000003
【図３】
0006644367.tif 000004
【図４】
0006644367.tif 000005
【図５】
0006644367.tif 000006